(57)【要約】【課題】  本発明は、ハサミで細かいものを切断する際に、ハサミの切断刃部に断片受け止め部を設け、切断された断片を切断直前に挟み込んで固定し、断片を周囲に飛散することを防止することができるように工夫した切断片飛散防止ハサミを提供する。【解決手段】  ハサミの切断刃部に断片受け止め部を設け、ハサミで切断される断片を切断直前に挟み込んで固定し、断片を周囲に飛散することを防止することを特長とするハサミ。【選択図】図１０
2014061370.tif 000002
【特許請求の範囲】
【請求項１】
ハサミの切断刃部Ａと刃部Ｂに受け止め部Ａと受け止め部Ｂを設けたことを特徴とする切断片飛散防止ハサミ。
【請求項２】
受け止め部Ａは、クッション材Ａにし、受け止め部Ｂは、クッション材Ｂにした請求項１の切断断片飛散防止ハサミ。
【請求項３】
受け止め部Ａ、もしくは受け止め部Ｂ、または両方に、クッション材Ｃ支柱台とバネによって伸縮性をもつクッション材Ｃ支柱とこれに支えられたクッション材Ｃにした請求項１の切断片飛散防止ハサミ。
【請求項４】
ハサミの切断刃部に、断片受け止め辺部Ａと断片受け止め辺部Ｂを有する断片受け止め機構を設けたことを特徴とする切断片飛散防止ハサミ。
【請求項５】
バネの一端を断片受け止め辺部Ａに、他のもう一端を断片受け止め辺部Ｂに固定し、断片受け止め辺部Ｂのハサミ側に刃部受け突起を設けたことを特徴とする請求項４の切断片飛散防止ハサミ。
【請求項６】
断片受け止め機構を、ハサミの刃部の両面に設けたことを特徴とする請求項５の切断片飛散防止ハサミ。
【発明の詳細な説明】
【技術分野】
【０００１】  本発明は、ハサミで細かいものを切断する際に、ハサミの切断刃部に断片受け止め部を設け、切断された断片を切断直前に挟み込んで固定し、断片を周囲に飛散することを防止することができるように工夫した切断片飛散防止ハサミに関するものである。
【背景技術】
【０００２】  従来、細かいものなどをハサミで切断する場合、切り落とされた断片はそのまま落下して周囲を散らかしていた。
また、破片を収納するものはあったが、収納の可能な断片の形状や容量が限られ、使いにくかった。
【先行技術文献】
【特許文献】
【０００３】
【特許文献１】  特開平１０−０２８７８６号公報
【特許文献２】  特開２０００−０２４３３７号公報
【特許文献３】  特開平１１−０８９４２６号公報
【発明の概要】
【発明が解決しようとする課題】
【０００４】  一般的に知られているハサミでは、細かいものを切断する場合、切り落とされた断片はそのまま落下して周囲を散らかしていた。
そのため、後片付けの負担が大きかった。
また、負担を軽くするためには、断片を収集しやすい様に下に断片受けとなるものを置いたり、断片が飛び散らないように手で受け止めたりしていた。
たとえば、自宅で散髪を行う場合などにおいては、切断された髪の毛が周囲に散乱して後片付けの負担が大きかった。
【課題を解決するための手段】
【０００５】  ハサミの切断刃部に断片受け止め部を設け、ハサミで切断される断片を切断直前に挟み込んで固定し、断片を周囲に飛散することを防止することを特徴とする切断片飛散防止ハサミ。
【発明の効果】
【０００６】  本発明は、切断直前に断片をハサミに設置された断片受け止め部で固定するため、断片を周囲に撒き散らさなくて済む。
受け止めた断片はハサミに固定されたままごみ箱などの廃棄個所まで移動され、そこで初めて開放されるため、特定の場所に集約させることが容易になる。
これにより後片付け等の負担が大幅に軽減される。
【図面の簡単な説明】
【０００７】
【図１】  本発明の第１の実施の形態を示した斜視図
【図２】  本発明の第１の実施の形態を示した断面図
【図３】  本発明の第１の実施の形態の使用状況を示した斜視図
【図４】  本発明の第２の実施の形態を示した斜視図
【図５】  クッション材Ｃ支柱の拡大図
【図６】  本発明の第３の実施の形態を示した正面図
【図７】  本発明の第３の実施の形態の使用状況を示した斜視図
【図８】  本発明の第４の実施の形態の使用状況を示した正面図
【図９】  本発明の第４の実施の形態の使用状況を示した背面図
【図１０】  本発明の第５の実施の形態の使用状況を示した斜視図
【発明を実施するための形態】
【０００８】  以下、本発明を実施するための形態について説明する。
（イ）ハサミの刃部Ａ（１）に断片受け止め部となるクッション材Ａ（３ａ）を設ける。
（ロ）ハサミの刃部Ｂ（２）に断片受け止め部となるクッション材Ｂ（３ｂ）を設ける。
本発明は以上のような構造である。
本発明を使用するときは、従来と同じようにハサミを使用するだけで、断片がクッション材Ａ（３ａ）とクッション材Ｂ（３ｂ）に挟まれて固定されるため、飛散を防止することができる。
【０００９】  本発明の第２の実施の形態について、図４を用いて説明する。
（イ）ハサミの刃部Ａ（１）に断片受け止め部となるクッション材Ａ（３ａ）を設ける。
（ロ）刃部Ｂ（２）にクシッション材Ｃ支柱台（４）を設ける。
これにクッション材Ｃ支柱（５）を設け、クシッション材Ｃ支柱台（４）の反対側    の一端にクッション材Ｃ（３ｃ）を設ける。
（ハ）クッション材Ｃ支柱（５）は、筒状、または円柱状のクッション材支柱筒（５ａ）    と、支柱バネ（５ｂ）と、クッション材Ｃ支え棒（５ｃ）から構成される。
クッション材Ｃ支え棒（５ｃ）が支柱バネ（５ｂ）によって反発的に可動すること    で、クッション材Ｃ支柱（５）自体も反発して伸縮する構造となる。
クッション材Ｃ支柱（５）は外部の力によって押し縮められると反発して伸びる機能    を有するものとする。
本発明は以上のような構造である。
通常ハサミは刃部Ａ（１）と刃部Ｂ（２）が交差して切断をする過程において、刃部の根元から先端までの交差のタイミングにズレがあり、この間刃部Ａ（１）と刃部Ｂ（２）は交差移動を続け、最終的には重なった状態で止まる。
断片を確実に固定するためには、切断される直前までに切断される該当箇所を断片受け止め部（３）によって固定しなければならない。
断片受け止め部（３）は、前述のハサミ交差時の移動幅があるため、この幅相当分を移動しなければハサミは最後まで交差を継続することができない。
第一の実施形態の様に断片受け止め部（３）自体が伸縮性を持っていれば、ある程度の刃部交差移動の幅を吸収することもできるが、この伸縮だけでは移動を吸収できる幅に限界がある。
第２の実施形態においては、これを改善するために刃部の交差幅をクッション材Ｃ支柱（５）の伸縮にて吸収するものである。
これによりハサミは、刃部が交差して切断をする前に断片受け止め部（３）が切断される物体を固定しても、その後刃部が移動し続けることを可能にし、クッション材Ａ（３ａ）とクッション材Ｃ（３ｃ）間の距離を一定に保つことができる。
クッション材Ｃ支柱（５）の伸縮機能により、ハサミは刃部先端までの交差が可能になり、切断前の切断該当箇所の固定と、その後の刃部根元から先端までの切断との両立が実現される。
これを使用するときは、従来と同じようにハサミを使用するだけで、断片がクッション材Ａ（３ａ）とクッション材Ｃ（３ｃ）に挟まれて固定されるため、飛散を防止することができる。
【００１０】  本発明の第３の実施の形態について、図６を用いて説明する。
（イ）刃部Ａ（１）に、断片受け止め機構（６）を設ける。
（ロ）断片受け止め機構（６）は、断片受け止め辺部Ａ（６ａ）と断片受け止め辺部Ｂ（    ６ｂ）を支軸（６ｃ）でつなぎ合わせた構造であり、断片受け止め辺部Ａ（６ａ）に    はクッション材Ａ（３ａ）を設け、断片受け止め辺部Ｂ（６ｂ）にはクッション材Ｂ    （３ｂ）を設ける。
（ハ）断片受け止め辺部Ｂ（６ｂ）には支持部（６ｄ）を設けることで、支軸を中心に指    一本で断片受け止め辺部Ｂ（６ｂ）を可動操作できる。
断片受け止め辺部Ａ（６ａ）と断片受け止め辺部Ｂ（６ｂ）が支軸（６ｃ）を中心に開閉することにより、ハサミ本体（７）が切断する断片を挟み込み固定することができる。
本発明は以上のような構造である。
切断対象物がハサミ本体（７）の両刃部間に挟まることが原因で切断物をスムーズに切断できない場合は、通常ハサミの両刃部間を一度広げて噛んだ状態を解消し、あらためて切断を試みるのが一般的である。
前記、第１の実施の形態、および第２の実施の形態の場合は、ハサミ本体（７）の両刃部間を広げる動作に伴って断片受け止め部も広がるため、途中までの動作で切断されていた断片が落下して飛散してしまう。
第３の実施の形態では、この課題を改善するために、ハサミ本体（７）の刃部開閉とは独立して断片受け取り機構の両辺が開閉可能なため、ハサミ本体（７）の刃部を広げても噛む途中までに切断した断片を継続して固定できる。
これにより利用者が意図しない断片の飛散を防ぐことができる。
また、切断対象物を切断前に確実に固定できるため、より確実に落下飛散を防ぐ効果がある。
【００１１】  本発明の第４の実施の形態について、図８と図９を用いて説明する。
（イ）バネ（８）の一端を断片受け止め辺部Ａ（６ａ）の支軸（６ｃ）から少し離れた位    置に固定し、バネ（８）の他のもう一端を断片受け止め辺部Ｂ（６ｂ）の支軸（６ｃ    ）から少し離れた位置に固定する。
（ロ）断片受け止め辺部Ｂ（６ｂ）のハサミ側に刃部受け突起（９）を設ける。
刃部受け突起（９）はハサミの刃部が一定以上の幅に開くとき、刃部Ｂ（２）に抵    触する位置に設ける。
第４の実施の形態は、第３の実施の形態において断片受け止め機構（６）を開閉させるために支持部（６ｄ）を使って指で操作していた機能を、バネ（８）と刃部受け突起（９）を利用して、補完、または代替するものである。
（イ）で設けたバネ（８）により、断片受け止め機構（６）は外部からの力が加わらない限りは通常閉じた状態を維持しようとする。
ハサミを一定以上開くと（ロ）で設けた刃部受け突起（９）にハサミの刃部Ｂ（２）がぶつかり、刃部受け突起（９）が固定された断片受け止め辺部Ｂ（６ｂ）もハサミの刃部Ｂ（２）に連動して開くことになる。
また、ハサミを閉じるときは、断片受け止め辺部Ｂ（６ｂ）は（イ）で設けたバネ（８）の力によって自律的に閉じる力が働くため、ハサミ刃部が閉じる過程で刃部Ｂ（２）に連動して自動的に閉じる。
この一連の動作により、第４の実施の形態においては、支持部（６ｄ）を指で操作しなくてもハサミ刃部の開閉タイミングに合わせて、自動的に断片受け止め機構（６）を開閉させることができる。
使用者は通常のハサミの開閉操作以外に、何も追加で操作する必要がないため、操作の負担を感じることなく使用することができる。
【００１２】  本発明の第５の実施の形態について、図１０を用いて説明する。
第４の実施の形態において、刃部Ａ（１）に設けた断片受け止め機構（６）とは別に反対側の刃部Ｂ（２）にも同様の断片受け止め機構２（１０）を設ける。
ハサミの両面に断片受け止め機構を設けることで、使用者はハサミのどちらの側でも切断片を固定することが可能になる。
これにより使用者は切断する際にハサミの向きを考慮する必要がなくなり、利便性が向上する。
【符号の説明】
【００１３】１  刃部Ａ
２  刃部Ｂ
３  断片受け止め部
３ａ  クッション材Ａ
３ｂ  クッション材Ｂ
３ｃ  クッション材Ｃ
４  クッション材Ｃ支柱台
５  クッション材Ｃ支柱
５ａ  クッション材Ｃ支柱筒
５ｂ  支柱バネ
５ｃ  クッション材Ｃ支え棒
６  断片受け止め機構
６ａ  断片受け止め辺部Ａ
６ｂ  断片受け止め辺部Ｂ
６ｃ  支軸
６ｄ  支持部
７  ハサミ本体
８  バネ
９  刃部受け突起
１０  断片受け止め機構２
【図１】
2014061370.tif 000003
【図２】
2014061370.tif 000004
【図３】
2014061370.tif 000005
【図４】
2014061370.tif 000006
【図５】
2014061370.tif 000007
【図６】
2014061370.tif 000008
【図７】
2014061370.tif 000009
【図８】
2014061370.tif 000010
【図９】
2014061370.tif 000011
【図１０】
2014061370.tif 000012